(57)【要約】【課題】低コストで、認識が容易なレベル表示装置を提供する。【解決手段】レベル検出部３１は、と物理量のレベルを検出する。第１表示部５１は、所定のタイミングで点滅する。第２表示部５２は、第１表示部５１が点滅するタイミングを基準として、レベル検出部３１が検出する物理量のレベルに応じて、タイミングを変更して点滅する。【選択図】図１
2013245946.tif 000002
【特許請求の範囲】
【請求項１】
物理量のレベルを検出するレベル検出部と、
所定のタイミングで点滅する第１表示部と、
前記所定のタイミングを基準として、前記レベル検出部が検出する物理量のレベルに応じて、タイミングを変更して点滅する第２表示部と
を備えることを特徴とするレベル表示装置。
【請求項２】
前記第１表示部は、前記第２表示部が変更するタイミングの範囲の内、中間のタイミングで点滅することを特徴とする請求項１に記載のレベル表示装置。
【請求項３】
前記第１表示部は、点灯時間と消灯時間との比である点滅比が、所定の点滅比となるように所定の周期で点滅し、
前記第２表示部は、前記所定の周期で、前記所定の点滅比を基準として、前記レベル検出部が検出する物理量のレベルに応じて、点滅比を変更して点滅することを特徴とする請求項２に記載のレベル表示装置。
【請求項４】
前記所定の点滅比は、１：１であることを特徴とする請求項３に記載のレベル表示装置。
【請求項５】
前記第１表示部は、所定の周期で点滅し、
前記第２表示部は、前記所定の周期を基準として、前記レベル検出部が検出する物理量のレベルに応じて、周期を変更して点滅することを特徴とする請求項１または２に記載のレベル表示装置。
【請求項６】
電波を受信する受信部を更に備え、
前記レベル検出部は、前記受信部が受信した電波の電界強度のレベルを検出することを特徴とする請求項１〜５のいずれか１項に記載のレベル表示装置。
【請求項７】
物理量のレベルを検出するステップと、
第１表示部が所定のタイミングで点滅するステップと、
第２表示部が前記所定のタイミングを基準として、前記検出するステップにおいて検出した物理量のレベルに応じて、タイミングを変更して点滅するステップと
を含むことを特徴とするレベル表示方法。
【発明の詳細な説明】
【技術分野】
【０００１】
本発明は、物理量のレベルを表示するレベル表示装置及びレベル表示方法に関する。
【背景技術】
【０００２】
例えば、放送波を受信するアンテナを設置する場合において、ユーザは、アンテナが接続された受信機を介して、モニタ、スピーカ等の出力部で受信レベルを確認しながらアンテナの方向や場所を決定することがある。一般にアンテナ自体は出力部を備えていないので、受信機及び出力部から離れた位置にアンテナを設置する場合、ユーザは、アンテナと受信機との間を行き来しながら受信レベルを確認したり、受信機を監視する他の人から受信レベルを伝えてもらったりする必要がある。
【０００３】
一方、例えば１０段階のレベルを低コストの表示部で表示する場合、単色の発光ダイオード（ＬＥＤ）を１０個並べて、レベルに応じた個数のＬＥＤを点灯させる方法、１個の７セグメント表示器により、レベルに応じた０〜９のアラビア数字を表示する方法、多色ＬＥＤまたは互いに異なる色の複数のＬＥＤを用いて、受信レベルに応じて色を変更して表示する方法等が考えられる。
また、特許文献１には、一個のＬＥＤを用いて、電界強度等のレベルを、レベルに応じた点滅パターンで表示する方法が提案されている。
【先行技術文献】
【特許文献】
【０００４】
【特許文献１】特開２００１−１６０８４９号公報
【発明の概要】
【発明が解決しようとする課題】
【０００５】
上述のように、レベルの表示に複数個のＬＥＤや多色ＬＥＤ等を用いる場合、レベルの段階が多くなると、部品個数、部品代、実装面積、消費電力等のコストが上がってしまう。また、特許文献１に記載の技術では、レベルの変化を短時間で認識することが困難である。
本発明は、上記問題を鑑み、低コストで、認識が容易なレベルを表示するレベル表示装置及びレベル表示方法を提供することを目的とする。
【課題を解決するための手段】
【０００６】
上記目的を達成するために、本発明の第１の態様は、物理量のレベルを検出するレベル検出部（３１）と、所定のタイミングで点滅する第１表示部（５１）と、前記所定のタイミングを基準として、前記レベル検出部（３１）が検出する物理量のレベルに応じて、タイミングを変更して点滅する第２表示部（５２）とを備えるレベル表示装置であることを要旨とする。
【０００７】
また、本発明の第１の態様に係るレベル表示装置において、前記第１表示部（５１）は、前記第２表示部（５２）が変更するタイミングの範囲の内、中間のタイミングで点滅することができる。
【０００８】
また、本発明の第１の態様に係るレベル表示装置において、前記第１表示部（５１）は、点灯時間と消灯時間との比である点滅比が、所定の点滅比となるように所定の周期で点滅し、前記第２表示部（５２）は、前記所定の周期で、前記所定の点滅比を基準として、前記レベル検出部（３１）が検出する物理量のレベルに応じて、点滅比を変更して点滅することができる。
また、本発明の第１の態様に係るレベル表示装置において、前記所定の点滅比は、１：１であることができる。
【０００９】
また、本発明の第１の態様に係るレベル表示装置において、前記第１表示部（５１）は、所定の周期で点滅し、前記第２表示部（５２）は、前記所定の周期を基準として、前記レベル検出部（３１）が検出する物理量のレベルに応じて、周期を変更して点滅することができる。
【００１０】
また、本発明の第１の態様に係るレベル表示装置において、電波を受信する受信部（１）を更に備え、前記レベル検出部（３１）は、前記受信部（１）が受信した電波の電界強度のレベルを検出することができる。
【００１１】
本発明の第２の態様は、物理量のレベルを検出するステップと、第１表示部が所定のタイミングで点滅するステップと、第２表示部が前記所定のタイミングを基準として、前記検出するステップにおいて検出した物理量のレベルに応じて、タイミングを変更して点滅するステップとを含むレベル表示方法であることを要旨とする。
【発明の効果】
【００１２】
本発明によれば、低コストで、認識が容易なレベル表示装置及びレベル表示方法を提供できる。
【図面の簡単な説明】
【００１３】
【図１】本発明の実施の形態に係るレベル表示装置の基本的な構成を説明するブロック図である。
【図２】本発明の第１実施例に係るレベル表示装置の動作を説明する図である。
【図３】本発明の第１実施例に係るレベル表示装置の動作を説明する図である。
【図４】本発明の第１実施例に係るレベル表示装置の動作を説明する図である。
【図５】本発明の第２実施例に係るレベル表示装置の動作を説明する図である。
【図６】本発明の第２実施例に係るレベル表示装置の動作を説明する図である。
【図７】本発明の第２実施例に係るレベル表示装置の動作を説明する図である。
【発明を実施するための形態】
【００１４】
次に、図面を参照して、本発明の実施の形態を説明する。以下に示す実施の形態は、本発明の技術的思想を具体化するための装置や方法、及びこれらの装置に用いられるプログラムを例示するものであって、本発明の技術的思想は、下記の実施の形態に例示した装置や方法、及びこれらの装置に用いられるプログラムに特定するものでない。本発明の技術的思想は、特許請求の範囲に記載された技術的範囲内において、種々の変更を加えることができる。
【００１５】
（レベル表示装置）
本発明の実施の形態に係るレベル表示装置は、図１に示すように、電波を受信し、受信した電波に応じた信号を出力する受信部１と、受信部１が出力した信号を処理する信号処理部２と、本発明の実施の形態に係るレベル表示装置に必要な種々の演算を処理する処理部３と、第１駆動回路４１と、第２駆動回路４２と、第１表示部５１と、第２表示部５２と、出力部６とを備える。
【００１６】
受信部１は、例えば放送波等の電波を受信するアンテナからなる。信号処理部２は、受信部１が出力した信号を、所定の信号に変換して処理部３及び出力部６に出力する。第１表示部５１及び第２表示部は、それぞれ、例えば単色の発光ダイオード（ＬＥＤ）からなり、第１駆動回路４１及び第２駆動回路４２の駆動により点灯する。出力部６は、受信部１が受信し、信号処理部２が変換した信号を、受信機等の外部装置に送信出力する。受信機等の外部装置は、受信した信号を変換し、再生する。外部装置が受信する信号は、音声に関する信号のみ、または、映像に関する信号のみであってもよいし、音声と映像に関する信号の両方であってもよい。
【００１７】
処理部３は、電界強度等の物理量のレベルを検出するレベル検出部３１と、第１駆動回路４１の駆動を制御する第１制御部３２と、第２駆動回路４２の駆動を制御する第２制御部３３を論理構造として有する。レベル検出部３１は、例えば、受信部１が受信した電波の電界強度の受信レベルを検出する。
【００１８】
第１制御部３２は、第１表示部５１が、所定のタイミングで点滅するように第１駆動回路を制御する。第２制御部３３は、第２表示部５２が、第１表示部５１が点滅する所定のタイミングを基準として、レベル検出部３１が検出する物理量のレベルに応じて、タイミングを変更して点滅するように、第２駆動回路４２を制御する。
【００１９】
第２制御部３３は、例えば、レベル検出部３１が検出できるレベルの最小値から最大値までの範囲を所定の段階に分割し、レベル検出部３１が検出する物理量のレベルに応じて、分割されたレベルの各段階で、第２表示部５２の点滅のタイミングを変更する。第１制御部３２は、例えば、第２制御部３３が変更するタイミングの範囲の内、中間のタイミングで第１表示部５１が点滅するように第１駆動回路４１を制御する。
【００２０】
−第１実施例−
本発明の第１実施例に係るレベル表示装置は、第１表示部５１が、第１制御部３２の制御により、所定の周期で、所定の点滅比となるように点滅する。点滅比は、点灯時間と消灯時間の比である。第２表示部５２は、第２制御部３３の制御により、第１表示部が点滅する周期で、第１表示部５１の点滅比を基準として、レベル検出部３１が検出した物理量のレベルに応じて、点滅比を変更して点滅する。
【００２１】
第１実施例において、第１表示部５１及び第２表示部５２は、第１制御部３２及び第２制御部３３の制御により、周期を１．４秒として点滅する。第２制御部３３は、レベル検出部３１が検出するレベルの最小値から最大値までの範囲を７段階に分割する。
【００２２】
レベル検出部３１が検出するレベルの最小値を第１段階、最大値を第７段階とすると、第２表示部５２は、第２制御部の制御により、各段階において、以下のような点滅比で点滅する。
第１段階       点灯時間０．１秒、消灯時間１．３秒
第２段階       点灯時間０．３秒、消灯時間１．１秒
第３段階       点灯時間０．５秒、消灯時間０．９秒
第４段階       点灯時間０．７秒、消灯時間０．７秒
第５段階       点灯時間０．９秒、消灯時間０．５秒
第６段階       点灯時間１．１秒、消灯時間０．３秒
第７段階       点灯時間１．３秒、消灯時間０．１秒
【００２３】
第３段階の時、第２表示部５２は、図２に示すように、点灯時間０．５秒、消灯時間０．９秒、周期１．４秒で点滅する（図２〜図７において、ハッチングで点灯を、白抜きで消灯を示す）。第４段階の時、第２表示部５２は、図３に示すように、点灯時間０．７秒、消灯時間０．７秒、周期１．４秒で点滅する。第５段階の時、第２表示部５２は、図４に示すように、点灯時間０．９秒、消灯時間０．５秒、周期１．４秒で点滅する。第１表示部５１は、各段階において、図２〜図４に示すように、点灯時間０．７秒、消灯時間０．７秒、周期１．４秒で点滅する。第１表示部５１は、第１段階から第７段階の点滅比の内、中間である第４段階の点滅比で点滅し、その点滅比は１：１である。
【００２４】
−第２実施例−
本発明の第２実施例に係るレベル表示装置は、第１表示部５１が、第１制御部３２の制御により、所定の点滅比で、所定の周期で点滅する。第２表示部５２は、第２制御部３３の制御により、第１表示部の点滅比で、第１表示部５１の周期を基準として、レベル検出部３１が検出した物理量のレベルに応じて、周期を変更して点滅する。
【００２５】
第２実施例において、第１表示部５１及び第２表示部５２は、第１制御部３２及び第２制御部３３の制御により、点滅比を１：１として点滅する。第２制御部３３は、レベル検出部３１が検出するレベルの最小値から最大値までの範囲を７段階に分割する。
【００２６】
レベル検出部３１が検出するレベルの最小値を第１段階、最大値を第７段階とすると、第２表示部５２は、第２制御部３３の制御により、各段階において、以下のような周期で点滅する。
第１段階       点灯時間０．２秒、消灯時間０．２秒
第２段階       点灯時間０．４秒、消灯時間０．４秒
第３段階       点灯時間０．６秒、消灯時間０．６秒
第４段階       点灯時間０．８秒、消灯時間０．８秒
第５段階       点灯時間１．０秒、消灯時間１．０秒
第６段階       点灯時間１．２秒、消灯時間１．２秒
第７段階       点灯時間１．４秒、消灯時間１．４秒
【００２７】
第３段階の時、第２表示部５２は、図５に示すように、点灯時間０．６秒、消灯時間０．６秒、周期１．２秒で点滅する。第４段階の時、第２表示部５２は、図６に示すように、点灯時間０．８秒、消灯時間０．８秒、周期１．６秒で点滅する。第５段階の時、第２表示部５２は、図７に示すように、点灯時間１．０秒、消灯時間１．０秒、周期２．０秒で点滅する。第１表示部５１は、各段階において、図５〜図７に示すように、点灯時間０．８秒、消灯時間０．８秒、周期１．６秒で点滅する。第１表示部５１は、第１段階から第７段階の周期の内、中間である第４段階の周期で点滅する。
【００２８】
本発明の実施の形態に係るレベル表示装置によれば、２つの表示部５１，５２の内、一方の表示部５１を参照用に用いることで、低コストで製造可能であり、ユーザが、短時間で容易にレベルを認識することができる。
【００２９】
また、本発明の実施の形態に係るレベル表示装置によれば、ＢＳアンテナ等の装置に適用することにより、ユーザはリアルタイムで電波の受信レベルを容易に認識でき、装置の設置が容易になる。
【００３０】
（その他の実施の形態）
上記のように、本発明の実施の形態を記載したが、この開示の一部をなす論述及び図面は本発明を限定するものであると理解すべきではない。この開示から当業者には様々な代替実施の形態、実施例及び運用技術が明らかとなろう。
【００３１】
上述の実施の形態においては、レベル表示装置は、放送波のアンテナ、盗聴器の発見器等の電波の受信レベルを検出するほか、他の様々な検査装置等に適用することができる。例えば、電波を受信する受信部１として、様々な物理量を検出する検出器を適用することにより、音量、各種濃度、放射線量等のレベルを表示する装置に適用することができる。
【００３２】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３３】
１  受信部
２  信号処理部
３  処理部
６  出力部
３１  レベル検出部
３２  第１制御部
３３  第２制御部
４１  第１駆動回路
４２  第２駆動回路
５１  第１表示部
５２  第２表示部
【図１】
2013245946.tif 000003
【図２】
2013245946.tif 000004
【図３】
2013245946.tif 000005
【図４】
2013245946.tif 000006
【図５】
2013245946.tif 000007
【図６】
2013245946.tif 000008
【図７】
2013245946.tif 000009